(57)【要約】【課題】宝探しサービス方法およびそのシステムを提供する。【解決手段】本発明は、特にオンラインを介して宝の位置と該位置を探すための複数の段階を提供するが、その実行のほとんどが現実の世界、モニターを離れたオフラインで行われるので、オンラインとオフラインが引き続き相互連動（Ｉｎｔｅｒａｃｔｉｖｅ）するため、オンラインとオフラインとが絶え間なく接続されて循環するから、オンラインの限界を超えて、実際の生活空間であるオフラインで行われた結果がオンラインに登載されてレベルアップになり、そのレベルアップによる様々な資格と特典を楽しむことができる宝探しサービス方法およびシステムを提供する。【選択図】図２
2017503280.tif 000002
【特許請求の範囲】
【請求項１】
運営サーバーと、ハイダー端末およびハンター端末からなるユーザー端末とを含み、オンラインとオフラインを連動させて、前記オフライン上に隠された宝を探し出す宝探しサービス方法において、
前記運営サーバーが前記ユーザー端末からインターネットを介して宝探しサービスの会員加入を受信する会員加入段階と、
前記ハイダー端末が特定の宝イベント情報および前記オフライン上の宝位置情報を含むトレジャーハイディング情報を前記運営サーバーに保存するトレジャーハイディング段階と、
前記ハンター端末が前記トレジャーハイディング情報の提供を受けて前記オフラインで探した前記宝から確認される固有情報を含むトレジャーハンティング情報を前記運営サーバーに保存するトレジャーハンティング段階と、
を含み、
前記固有情報の認証が完了すると、前記宝の支給を決定する、
宝探しサービス方法。
【請求項２】
前記トレジャーハイディング段階は、
複数の段階に対する課題を提供する段階と、
前記課題が行われると、前記課題別の宝位置を特定するヒントを提供する段階と、
を含む、
請求項１に記載の宝探しサービス方法。
【請求項３】
前記トレジャーハイディング段階は、完全な、前記宝の情報を露出せず、複数の段階別に前記宝の情報を少しずつ公開する、請求項１に記載の宝探しサービス方法。
【請求項４】
前記ヒントを提供する段階は、
空間の大きさを漸次減らしていく物理的な住所提供方式、前記段階をすべて解くと、前記段階ごとに正解が集まり、それによりパズルをといて見つけられる方式、ＧＰＳ上の座標を数字として解く方式、三角座標または多角形の中心点などの地図と角度とを用いた方式、問題自体に正解がある方式、難易度の異なる様々な暗号をとく方式、または複数の観光地を立ち寄って印などの認証を受けて提出する方式である、
請求項２に記載の宝探しサービス方法。
【請求項５】
前記トレジャーハイディング情報は、具体的な、前記宝の算定価値を含む、請求項１に記載の宝探しサービス方法。
【請求項６】
前記トレジャーハイディング段階は、
宝イベントの前記各段階に対する前記課題が提供される段階と、
前記段階に対する前記ヒントに基づいて前記オフラインで見つかった前記宝の前記固有情報を入力する段階と、
前記宝に対する前記固有情報に基づいて認証が行われる段階と、
を含む、
請求項２に記載の宝探しサービス方法。
【請求項７】
前記固有情報は、ＱＲコード、バーコードまたはシリアル番号のいずれか一つであり、前記運営サーバーによって生成されて、前記ハンター端末には提供されない、請求項６に記載の宝探しサービス方法。
【請求項８】
前記トレジャーハイディング段階は、前記認証の後に前記宝に対する評価を行う段階をさらに含む、請求項６に記載の宝探しサービス方法。
【請求項９】
前記会員加入段階の後に、
前記ユーザー端末に、事前設定、選択または探索に応じて、前記ユーザー端末の属している地域または全世界のあちこちの宝の埋蔵、提示数量、価値総量、見つかった宝の価値、見つかった宝の回数、ギルド現況、会員現況、および世界各国と地域別の優れたトレジャーハイダーの等級とランキング、優れたトレジャーハンターの等級とランキング、ギルド別の実績とランキング、現在最も価値のある宝とランキング、歴代最も価値のある宝とランキング、最も多くの参加者がいる宝イベント、最も多くの宝が発見されたイベントなどの情報、未解決のままトレジャーハイダーが終了していない挑戦可能な宝情報のうち少なくとも一つの情報を提供し、地域別に最も関心を浴びている宝イベントと進行現況に関する情報を、前記ユーザー端末に応じて、挑戦可能な宝内訳情報を知らせる、請求項１に記載の宝探しサービス方法。
【請求項１０】
前記トレジャーハンティング段階は、複数の前記ハンター端末がグループとして挑戦する、請求項１に記載の宝探しサービス方法。
【請求項１１】
前記複数のユーザー端末は、互いに離隔している空間でトレジャーハンティングを実行する、請求項１０に記載の宝探しサービス方法。
【請求項１２】
前記ユーザー端末は、個人、ギルドおよびギルド連合のいずれかに所属して、前記トレジャーハイディング段階と前記トレジャーハンティング段階を自由に行き来しながら実行する、請求項１に記載の宝探しサービス方法。
【請求項１３】
前記ハンター端末と前記ハイダー端末の間の情報交流を遮断するが、前記運営サーバーがゲーム進行の公正性を確保するために、前記ハンター端末と前記ハイダー端末に仮ＩＤを付与する段階と、
前記運営サーバーが前記ハンター端末と前記ハイダー端末の間の個別間情報交流を遮断する段階と、
を含む、
請求項１に記載の宝探しサービス方法。
【請求項１４】
トレジャーハンティングの際に、前記ハンター端末のアイテムの使用を許容し、
前記アイテムは、前記トレジャーハイディング段階で提供された前記宝の位置を地図上で追跡することが可能な地図アイテムである、
請求項１に記載の宝探しサービス方法。
【請求項１５】
前記トレジャーハンティング段階で提供を受けた前記トレジャーハンティング情報に含まれている前記宝位置情報は、前記ハンター端末に提供された地図上に表示され、
前記宝位置情報は、前記ハンター端末の位置を中心に一定の距離を放射状に区画する多数の区域内に表示される、
請求項１に記載の宝探しサービス方法。
【請求項１６】
前記宝位置情報は、前記宝の価値に比例して大きさを異ならせ、宝イベントの締め切り期限に応じて色を異ならせて表示される、請求項１５に記載の宝探しサービス方法。
【請求項１７】
運営サーバーによって運営され、オンラインとオフラインを連動させて、前記オフライン上に隠された宝を探し出す宝探しサービスシステムにおいて、
特定の宝イベント情報および前記オフライン上の宝位置情報を含むトレジャーハイディング情報を前記運営サーバーに保存するハイダー端末、および前記トレジャーハイディング情報の提供を受けて前記オフラインで探し出した前記宝から確認される固有情報を含むトレジャーハンティング情報を前記運営サーバーに保存するハンター端末からなるユーザー端末と、
前記ユーザー端末からインターネットを介して宝探しサービスの会員加入を受信し、前記固有情報の認証が完了すると前記宝の支給を決定する前記運営サーバーと、
前記運営サーバーから伝送される会員情報、前記宝イベント情報を格納するデータベースと、
を含む、
宝探しサービスシステム。
【請求項１８】
前記ハイダー端末は、複数の段階に対する課題、および前記課題が行われたときに前記課題別の宝位置を特定するヒントを提供し、
前記ハンター端末は、宝イベントの前記各段階に対する前記ヒントに応じて、前記オフラインで見つかった前記宝の前記固有情報を入力することにより、前記宝に対する認証が行われるようにする、
請求項１７に記載の宝探しサービスシステム。
【請求項１９】
前記運営サーバーは、前記宝イベントの進行中の区域内に前記ユーザー端末が位置するときに、前記ユーザー端末へ前記宝イベント情報を提供する、請求項１７に記載の宝探しサービスシステム。
【発明の詳細な説明】
【技術分野】
【０００１】
本発明は、有線、無線通信網を利用した宝探しサービス方法およびそのシステムに関し、より詳しくは、有線、無線通信網を介してオンラインとオフラインが連動して、特にオフラインでの活動を通じた楽しみややりがいが強調される宝探しサービスを提供する方法に関する。
【背景技術】
【０００２】
トレジャーハンティング（宝探し）は、遠足や集会で老若男女誰でもできる遊びであって、ハンコ付きの紙や特定のカード、物品などを宝として提示し、一定の空間に事前に隠しておいた後、ゲーム参加者に宝を一定の時間で探し出すようにして、見つけた宝の等級や数量に応じて、事前に約束された景品や商品、約束された価値を提供する方法を取っている。
【０００３】
一般的なＰＣゲームやスマートフォンゲーム、ソニー（登録商標）プレイステーション（登録商標）、ＸＢＯＸ（登録商標）などは、当該機器を使って、空間的に限られたプログラム、アプリケーション（ａｐｐｌｉｃａｔｉｏｎ）を実行するか、或いは同じゲームであればオンライン接続を介して特定或いは不特定多数とプログラムを通じて予め定められたルール内でスコアと資源を取得しながらレベルを上げたり対戦を行ったりするため、これらのゲーム中ではモニターの前から離れられない。
【０００４】
したがって、このようなゲームを介して得られるものは、一定水準のレベルアップと売買も可能な特定のアイテムに限定されるので、ほとんどは、ゲームプレイヤー個人単位のレベル目標達成および熟達の他には、多数が一緒に共有可能な価値につながらず、オンラインに接続してこそ確認される価値であり、専門ゲーマーではない限り、時間の消耗に比べて現実的には認められ難い価値である。
【先行技術文献】
【特許文献】
【０００５】
【特許文献１】韓国特許出願第１０−２０００−００１０９７５号［３次元インターネット空間での宝探し（Ｆｉｎｄｉｎｇ  ｔｈｅ  ｔｒｅａｓｕｒｅｓ  ｉｎ  ｔｈｅ  ３Ｄ  Ｉｎｔｅｒｎｅｔ）］
【特許文献２】韓国特許出願第１０−２００２−００２００５６号［無線ネットワーク基盤の宝探しゲーム方法（Ｇａｍｅ  ｍｅｔｈｏｄ  ｆｏｒ  ａ  ｔｒｅａｓｕｒｅ−ｈｕｎｔｉｎｇ  ｕｓｉｎｇ  ｗｉｒｅｌｅｓｓ  ｎｅｔｗｏｒｋ）］
【発明の概要】
【発明が解決しようとする課題】
【０００６】
本発明は、上述した従来のオンラインに限られたゲームの限界を乗り越えるためのもので、有線、無線通信網を介してオンラインおよびオフラインで連動して宝探しサービスを提供することにより、実際ユーザーのオフラインでの活動を保障してさらに高い満足感を提供することができる宝探しサービス方法およびそのシステムを提供することを目的とする。
【０００７】
なお、本発明の目的は上述した目的に制限されず、上述していない別の目的は、以降の記載から当業者に明確に理解できるであろう。
【課題を解決するための手段】
【０００８】
上記の目的を達成するために、本発明の実施形態に係る宝探しサービス方法は、運営サーバーと、ハイダー端末およびハンター端末からなるユーザー端末とを含め、オンラインとオフラインを連動させて、オフライン上に隠された宝を探し出す宝探しサービス方法において、前記運営サーバーがユーザー端末からインターネットを介して宝探しサービスの会員加入を受信する会員加入段階と、前記ハイダー端末が特定の宝イベント情報およびオフライン上の宝位置情報を含むトレジャーハイディング情報を運営サーバーに保存するトレジャーハイディング段階と、前記ハンター端末が前記トレジャーハイディング情報の提供を受けてオフラインで探した宝から確認される固有情報を含むトレジャーハンティング情報を運営サーバーに保存するトレジャーハンティング段階と、を含んでなり、前記固有情報の認証が完了すると、当該宝の支給を決定することを特徴とする。
【０００９】
上記の目的を達成するために、本発明の他の実施形態に係る宝探しサービスシステムは、運営サーバーによって運営され、オンラインとオフラインを連動させて、オフライン上に隠された宝を探す宝探しサービスシステムにおいて、特定の宝イベント情報およびオフライン上の宝位置情報を含むトレジャーハイディング情報を運営サーバーに保存するハイダー端末、および前記トレジャーハイディング情報の提供を受けてオフラインで探し出した宝から確認される固有情報を含むトレジャーハンティング情報を運営サーバーに保存するハンター端末からなるユーザー端末と、前記ユーザー端末からインターネットを介して宝探しサービスの会員加入を受信し、前記固有情報の認証が完了すると、当該宝の支給を決定する運営サーバーと、前記運営サーバーから伝送される会員情報、前記宝イベント情報を格納するデータベースと、を含むことを特徴とする。
【発明の効果】
【００１０】
本発明の実施形態に係る宝探しサービス方法およびそのシステムは、トレジャーハンティング（宝探し）ゲームの際にオンラインを介して宝の位置と当該位置を探すための複数の段階を提供されるが、その実行はほとんどが現実の世界、モニターを離れたオフラインで行われるので、オンラインとオフラインが引き続き相互連動（Ｉｎｔｅｒａｃｔｉｖｅ）する特徴があることから、オンラインの活動がオフラインの実際の動きや目標の達成につながり、それにより、さらにオンライン上の会員間の相互評価、スコア取得、等級レベルアップへと循環が持続的に行われるという効果がある。
【００１１】
したがって、オンラインとオフラインが絶え間なく接続されて循環するので、オンラインの限界を超えて、実際の生活空間であるオフラインで得られた結果がオンラインに登載されてレベルアップになり、そのレベルアップによる様々な資格と特典を楽しむことができるという効果がある。
【００１２】
また、本発明によれば、ゲーム製作会社で作ったゲームプログラムにのみ依存して、その中のプログラムロジックに基づいてスコアを取り、アイテムを買い、等級を上げながら家やネットカフェでのみ接続して活動する、或いはスマートフォンや他の独立した機器をプレイのみする既存のゲーム方式から外れて、会員自らトレジャーハイダーとトレジャーハンターの両方の役割を行き来しながら、オンラインとオフラインの両方で自由に自分のみのゲームを作って提示したり解いたりする役割を行うことができる。
【図面の簡単な説明】
【００１３】
【図１】本発明の一実施形態に係る宝探しサービスシステムの構成図である。
【図２】図１の宝探しサービスシステムの動作を示す代表フローチャートである。
【図３】図２のトレジャーハンティング段階を示す詳細フローチャートである。
【図４】本発明の評価段階で提供される画面図である。
【図５】本発明に適用される地図上に宝イベント情報が表示された例を示す画面図である。
【発明を実施するための形態】
【００１４】
以下、添付図面を参照して、本発明の実施形態を、本発明の属する技術分野における通常の知識を有する者が容易に実施し得るように詳細に説明する。しかし、本発明は、様々な異なる形態で実現でき、ここで説明する実施形態に限定されるものではない。そして、図面において、本発明を明確に説明するために説明と関係ない部分は省略し、明細書全体にわたって類似した部分については同様の符号を付した。
【００１５】
明細書全体において、ある部分が他の部分に「連結」されているとするとき、これは「直接的に連結」されている場合だけではなく、それらの中に他の素子を介在して「電気的に連結」されている場合も含む。
【００１６】
明細書全体において、ある部分がある構成要素を「含む」とするとき、これは、特にこれに反する記載がない限り、他の構成要素を除外するのではなく、他の構成要素をさらに含むことができることを意味する。また、明細書に記載された「…部」、「…器」、「モジュール」などの用語は少なくとも一つの機能や動作を処理する単位を意味し、これはハードウェア、ソフトウェア、またはハードウェアとソフトウェアとの組み合わせで実現できる。
【００１７】
図１は本発明の一実施形態に係る宝探しサービスシステムの構成図、図２は図１の宝探しサービスシステムの動作を示す代表フローチャート、図３は図２のトレジャーハンティング段階を示す詳細フローチャート、図４は本発明の評価段階で提供される画面図、図５は本発明に適用される地図上に宝イベント情報が表示された例を示す画面図である。
【００１８】
図１に示すように、本発明の有線、無線通信網を利用した宝探しサービスシステムは、ユーザーが宝の探しに必要な各種情報を入出力するハンター端末２０と、ユーザーが宝の隠しに必要な各種情報を入出力するハイダー端末１０と、前記ハンター端末２０およびハイダー端末１０に接続されて情報の移動経路となるインターネット１１と、前記インターネット１１に接続され、宝探しに必要な各種情報を提供する運営サーバー３０とから構成されている。
【００１９】
前記ハンター端末２０およびハイダー端末１０は、文字、絵、音声、画像または動画像データを送受信することが可能なマルチメディア機能を有するものである。ユーザーは、自分の端末１０に内蔵されているＷｅｂブラウザーで前記運営サーバー３０に接続して、インターネット１１を介して宝探しサービスを受けることができる。
【００２０】
前記ハンター端末２０およびハイダー端末１０は、インターネット１１を介して前記運営サーバー３０に接続可能なコンピュータだけでなく、無線データ通信が可能なＰＤＡ、スマートフォンなどを利用することができる。
【００２１】
それだけでなく、前記ハンター端末２０およびハイダー端末１０は、インターネット１１が可能なスマートフォン該当ゲームアプリケーション、データ伝送が可能な２Ｇ、３Ｇ携帯電話、ＸＢＯＸ、プレイステーション、任天堂（登録商標）Ｗｉｉ（登録商標）などの現代の全ての機器を適用することができる。
【００２２】
インターネット１１は、ユーザーが自分の情報通信端末１０を介して電子メール、ファイル転送、情報検索、ハイパーテキスト情報閲覧などを可能にするデータの移動経路となる。
【００２３】
運営サーバー３０は、ハンター端末２０およびハイダー端末１０を介して接続したユーザーの会員加入、宝の地図の提供、宝の認証などを行うことができる。
【００２４】
また、運営サーバー３０は、宝の地図に関連する様々な情報を提供し、評価を行うことができる。
【００２５】
また、前記運営サーバー３０は、サイトの運営に必要な各種情報、宝の地図情報、広告データ情報および会員情報が格納されるデータベース４０を含むことができる。
【００２６】
一方、前記運営サーバー３０は、前記ユーザー端末であるハンター端末２０およびハイダー端末１０が宝イベント進行中の区域内に位置するとき、前記ユーザー端末へ宝イベント情報を提供することができる。一例として、宝イベントを進行する区域が観光地や建物、公園、地方自治区域である場合に、ユーザーがそこに位置するときには、宝イベントが進行中であることを、プッシュ通知を介して認知させることにより、ハンターまたはハイダーの役割をしながら宝イベントに参加することができるように誘導することができる。
【００２７】
以下、図２を参照して宝探しサービスシステムのサービス方法を説明する。
【００２８】
図２を参照すると、宝探し方法が開始すると、トレジャーハンターおよびトレジャーハイダーの役割を行うユーザーがゲームの会員加入を行う（Ｓ１０）。
【００２９】
前記会員加入は、電子メールのアドレスとパスワードの重複入力を基本とする他のサイト方式と同様であるが、ゲームの内部で使われるニックネームを定めることができ、基本的に提供されるキャラクターの中から会員の好みに応じて選択することができ、一定の等級以上であればキャラクターを変えたり装ったりすることができる。
【００３０】
前記情報に加えて、名前や性別、年齢、学校、職業、職責、住所、連絡先、電話番号、携帯電話番号、追加の電子メール、友達の連絡先、クレジットカード、銀行口座に関する情報など、信頼性のある個人情報を要求することもできる。
【００３１】
したがって、オンラインとオフラインを行き来するゲーム方式の特性上、匿名でのみ活動することにより保障できない利益を、保障し、宝の提供と探しの信頼性を向上させることができる。
【００３２】
このような情報の正確性に応じて、会員等級、参加可能なトレジャーハンティングゲームの種類および宝の価値が制限されることがある。これは加入段階において前もって説明される。
【００３３】
会員加入が行われると、会員の意思によって、ゲームサイトへの接続時だけでなく、
会員が指定した通信方式、例えば、電子メール、携帯電話、スカイプ（登録商標）、カカオトーク（登録商標）、ツイッター（登録商標）、フェイスブック（登録商標）などの方式に従って、自分の関心領域に新たに提供された宝の基本的な内訳の提供を受けることができ、個人的に興味のある宝の種類、挑戦難易度、一定の価値等級、トレジャーハイダーの検証（ｑｕａｌｉｆｉｅｄ）されたレベルなどに基づいて関連宝情報を受信することもできる。自分の等級に基づいて、挑戦可能な宝情報を提供することができる。
【００３４】
自分が興味を持っているトレジャーハイダーまたはトレジャーハンターの活動現況やギルドメンバーの活動情報なども受けることができる。
【００３５】
会員は、自分の宝狩り結果（価値、難易度、自分の等級、地域など）をツイッターやフェイスブックなどの様々なＳＮＳを介して共有することができるように設定することができる。
【００３６】
加入された個人情報は、暗号化されて運営サーバー３０のデータベース４０に格納される。
【００３７】
会員は個人会員と企業会員に大別される。個人は、トレジャーハイダーとトレジャーハンターの役割を両方とも行うことができ、企業は、営利目的の大／中／小企業の他にも、大学、博物館、旅行代理店、観光局、政府機関、宗教団体、芸能事務所、放送局、新聞社などの多様な主体であって、トレジャーハイダーの役割を果たすことができる。
【００３８】
個人会員は、無料会員が基本であるが、個人の自由な選択によって、一か月あたり一定の金額を支払う有料会員を選択することができる。企業会員は、固定的な宝イベントを持続的に行う場合には、契約に基づいて有料会員になることができ、不定期的な場合にも、契約に基づいて有料会員になることができる。
【００３９】
銀行口座またはクレジットカードを介して定期的な月額定額を支払う会員の場合は、無料会員に比べて信頼度が高いことを証明する、検証された会員等級をより容易に得ることができ、挑戦可能な宝の数も相対的に多く、挑戦すべき宝の価値も相対的に高くなる。
【００４０】
個人のほか、家族、個人と家族の連合であるギルド、ギルドの連合であるギルド連合等も総有料会員数とそれらが支払う月額定額の総和によって、挑戦可能な宝の数と挑戦可能な宝の価値が変わってくる。
【００４１】
提供される情報の内容、加入条件、月額使用料の策定および調整、様々な制限は、ゲーム運営会社の方針に応じて変更できる。
【００４２】
会員加入の後にゲームサイトに接続すると、運営サーバー３０は、様々なトレジャーハンティング広報用イントロ映像をユーザー端末に提供し、既に見たものであればスキップ（Ｓｋｉｐ）することができ、メニューを介して再び見ることができる。
【００４３】
イントロ映像は、個人向け、家族向け、ギルド向け、企業向けなどに多様に変更し、提供することができる。
【００４４】
また、接続の後、ユーザーは、事前設定や選択、探索などに応じて、自分の属している地域または全世界あちこちの宝の埋蔵、提示数量、価値の総量、発見された宝の価値、発見された宝の回数、ギルド現況、会員現況などといった情報の提供を受けることができる。
【００４５】
世界各国と地域別の優れたトレジャーハイダーの等級とランキング、優れたトレジャーハンターの等級とランキング、ギルド別の実績とランキング、現在最も価値のある宝とランキング、歴代最も価値のある宝とランキング、最も多くの参加者がいる宝イベント、最も多くの宝が発見されたイベントなどの情報、未解決のままトレジャーハイダーが終了していない挑戦可能な宝情報などを知ることができる。
【００４６】
また、主要地域別、それとも全体を網羅して最も関心を浴びている宝イベントと進行現況に関する情報の提供を受けることができる。
【００４７】
会員の選択、設定に応じて、自分に合った挑戦可能な宝内訳情報を知ることができる。
【００４８】
会員は、自分のスコアと等級、等級を上昇させるために必要なスコア、信頼度、複数のアイテム現況などの情報を知ることになる。
【００４９】
提供される情報の内容や配列、順序などは、ゲーム運営会社の方針に応じて変更できる。
【００５０】
ユーザーが会員加入を完了したら、チュートリアル（Ｔｕｔｏｒｉａｌ）を行う（Ｓ２０）。
【００５１】
前記チュートリアルは、ユーザーがトレジャーハイダーとしての役割を果たす方法と、トレジャーハンターとしての役割を果たす方法について、ゲーム運営会社が提供する段階別の動画像、案内図、説明などで提示されるチュートリアル（Ｔｕｔｏｒｉａｌ）過程を必須的に実行し、確認しなければならない。
【００５２】
チュートリアルおよび別途の例示事例を通じて、トレジャーハイダーはトレジャーハンターに提示される問題の様々な類型や基本的なクイズまたはパスワード提示方法、ヒント提示方法などについて教育を受けることができる。
【００５３】
運営サーバー３０は、会員の利便性のために、標準化された複数の方法を会員に提示して簡単に幾つかの段階の選択および入力のみでトレジャーハイダーの機能を実行することができるように、事前に設定して置くことができる。
【００５４】
チュートリアルを済ませたら、ユーザーの意思に基づいて、運営サーバー３０は幾つかの警告を行う。
【００５５】
ユーザーがトレジャーハイダーの役割を行う場合、宝を隠す場所が開放的なところでなければならず、過度な出入り費用や資格、セキュリティ等級などを要求する場所であってはならないという警告を行う。また、戦場や接近し難い危険な地域、治安が不安な地域などは不可であることを警告する。
【００５６】
また、運営サーバー３０は、宝が隠される場所が、過度な機構または装備の使用、復元不可能な毀損または構造変更、経済的損失を引き起こす可能性のある場所であってはならないという警告を行う。このような場所に関連する警告はゲーム運営会社によって追加変更できる。
【００５７】
トレジャーハイダーによって隠される宝は、いかなるものであれ、トレジャーハイダーの所有が明確でなければならず、自分が所有権を行使することができないものや、自分でもどうしようもない場所の宝を指定してはならない。このような場合、トレジャーハンターの申告のみでも、会員資格の制限や停止、強制退会できる。博物館や学校、企業、公共機関、自治体、観光庁など信頼性の高いトレジャーハイダーの場合は、事前に協議してゲームを進めることができる。
【００５８】
また、運営サーバー３０は、会員らの相互評価、悪性会員の申告を介してトレジャーハイダーおよびトレジャーハンターの等級と検証水準が変わり、それにより、参加できる宝挑戦機会および回数が制限され、或いは強制的に会員脱退がなされることもあることを警告する。
【００５９】
宝を探すための段階別問題において、トレジャーハイダーは性差別やセクハラ、人種差別、職業差別、障害者差別などに関連する内容を書いてはいけないことを告知する。
【００６０】
最終的に宝を探したトレジャーハンターは、トレジャーハイダーが提示した段階と、段階別の難易度やヒントの適正性などを簡単に評価するための手続きを経れば、等級の上昇に役立つことを告知する。
【００６１】
複数の会員の評価が累積して一定の水準以下に評価されるトレジャーハイダーおよびトレジャーハンターの等級が停滞または降格することもあり、評価が良いほど検証水準が上がってより高い等級に昇格することもあることを告知する。
【００６２】
運営サーバー３０は、支給または発見された宝への満足度を、提示された幾つかのレベルから選択しなければならないことを告知し、トレジャーハンティングゲームが開始すると、セキュリティと公正性のためにトレジャーハイダーとトレジャーハンター間の個別的ないずれの通信や接触も禁止され、トレジャーハイダーが事前に設定した段階、難易度およびヒントに応じて進行することを告知する。
【００６３】
トレジャーハイダーのニックネームとトレジャーハンターのニックネームは、別途のコードに置き換えられ、すなわち、前記運営サーバーがハンター端末とハイダー端末に仮ＩＤを付与して、お互いを知ることができなくなる可能性もあることを告知し、前記ハンター端末とハイダー端末との間の情報交流を制限または遮断し、これを違反した場合、ゲーム運営会社が定めた会員資格の制限、剥奪などの不利益がありうることを警告する。
【００６４】
トレジャーハンターの資格には個人、家族、ギルドなどがあるが、トレジャーハンターは、トレジャーハイダーとゲーム運営会社の政策に従って、いずれの資格でも参加することも、その資格が制限されることもあることを告知する。また、多数の申告などによりトレジャーハンターまたはトレジャーハイダーの資格が取消または制限されたり、等級調整がされたりする場合、運営サーバー３０は、これを当該会員に知らせ、必要に応じて疎明の機会を付与する。単一の申告でも、その内容が深刻な水準である場合には、ゲーム運営会社が直ちに会員資格を停止させることができる。
【００６５】
個人は、自由にトレジャーハイダーの役割を無料で行うこともでき、トレジャーハンターの役割を行うこともできるが、広報または営利目的の個人、企業などのトレジャーハイダーは、ゲーム運営会社が提示した或いは事前に協議された約定、手数料、広告料などを支払わなければならないことを告知する。
【００６６】
トレジャーハイダーは、宝に対する証明、宝を探したトレジャーハンターに対する宝提供、検証、宝のある場所、段階別の難易度およびヒント、正解などに対するセキュリティ全般、宝イベント運営に対する信頼および法的責任を自ら負わなければならないことを告知する。
【００６７】
最終的に見付けられた宝の価値が、トレジャーハイダーが提示した価値と大きく異なるか、とんでもないものであった場合、トレジャーハンターはこれを評価および申告し、これはトレジャーハイダーの等級および信頼性に影響を与える。
【００６８】
トレジャーハンターは、トレジャーハイダーが事前に提示したヒントをたくさん提供されるほど、トレジャーハンター達成の等級が低くなるおそれがあることを告知される。但し、トレジャーハンターが取得したヒント表示アイテムの使用、段階スキップアイテムの使用は、トレジャーハイダーがゲーム毎に定めた最小限の範囲で行われ、トレジャーハイダーはこのようなアイテムの使用を無条件に拒否することはできない。
【００６９】
トレジャーハンターがトレジャーハイダーにより提示された段階別問題を解決する途中で知ることになった正解は、ゲームサイトおよび個人ＳＮＳ、携帯電話ＳＭＳなどで他の挑戦者に共有されてはならず、このような行為による不利益、或いは挑戦イベントのキャンセルは当該行為をしたトレジャーハンターにあることを告知する。
【００７０】
トレジャーハンターは、トレジャーハイダーが提示した宝に応募、挑戦することにより発生する時間および費用について自ら責任を負い、この責任をトレジャーハイダーやゲーム運営会社に問うことができないことを告知される。
【００７１】
その他に、運営サーバー３０は、ゲーム運営会社を通さない、個人的なトレジャーハイダーとトレジャーハンターとの間の物質的宝、物理的距離を介した移動や輸送が個人の責任であることを告知し、宝は宝イベント時間の経過に伴って自然に腐敗、損傷、退色、変色、変形する可能性があるものではならないことを告知する。
【００７２】
トレジャーハイダーの故意ではなく、宝が隠された空間特性や不特定多数への露出により宝の毀損、亡失、不在などとトレジャーハンターが評価、申告した場合、これはトレジャーハイダーの疎明手続きを介して検証され、必要に応じて等級調整が行われることもある。
【００７３】
トレジャーハイダーは、社会的に、倫理的に、刑事上の責任を負うおそれのある宝（盗品、犯罪関連物品、法によって流通または所持が禁止された物品など）を持ってイベントを進行してはならないことを告知される。
【００７４】
トレジャーハイダーとトレジャーハンター間の物質的・物理的な宝移送は、当該宝イベントの終了時点にゲーム上で相互合意の下にキャンセルされることもあることを告知される。この場合、互いに信頼度や評価には影響されないことを告知される。
【００７５】
運営サーバー３０は、この他にも、必要に応じてさらに警告、告知を掲示、変更することができる。
【００７６】
また、個別段階での警告や告知のほかに、法的攻防を避けるための会員加入時の同意条件をまとめて提示することもできる。
【００７７】
トレジャーハイダーが定めた期限を超えてトレジャーハンターが探さなかった場合、宝イベントは終了するが、宝の価値とトレジャーハイダーの選択に応じて延長できる。このような情報は、締め切り時期に合わせて、ゲーム運営会社が自動的にトレジャーハイダーおよびトレジャーハンターに告知する。
【００７８】
最後に、トレジャーハンティングの結果、トレジャーハイダーとトレジャーハンターが引き続き重複してペアとして発生する場合、運営サーバー３０は、これを参加者相互間の公正ではない故意的な宝露出、情報漏洩による不正と判断し、調査した後、等級の降格、挑戦機会の制限、会員の資格停止、強制退会などを行うことができる。
【００７９】
上述のように警告および告知が終了すると、ユーザーのトレジャーハイディングが行われる。
【００８０】
つまり、ユーザーがトレジャーハイダーの役割を選択すると、トレジャーハイダープロセスを進行する（Ｓ３０）。
【００８１】
トレジャーハイダーは、個人、家族、複数の個人または家族が含まれたギルド、広報および営利目的の企業であってもよい。企業の他にも、本ゲーム方式を好む博物館や学校、様々な公共機関、放送局、新聞社、芸能事務所、観光庁、主要な観光地、自治体などの多様な主体がトレジャーハイダーになることができる。
【００８２】
トレジャーハイダーの等級および特性に応じて、トレジャーハイダーとして宝イベントごとに提示可能な宝の数や、同時に進行可能な地域または国、総宝価値の限界などが変わり得る。
【００８３】
トレジャーハイダーは、宝の具体的な算定価値を提示し、抽象的な価値のみで存在するもの、或いは物理的なものと結びついた抽象的な価値のものである場合にこれを事前に表示する。
【００８４】
但し、抽象的な価値であるにも拘わらず、宝を探したトレジャーハンターに別の補償がある場合には、これを表示しないこともある。
【００８５】
トレジャーハイダーは、宝を探すための段階を２０段階以下に提示し、トレジャーハイダーの戦略、宝の価値、イベントの規模、トレジャーハイダーの等級に応じてこのような段階は制限できる。
【００８６】
トレジャーハイダーが設定する段階別課題は、オフライン上の課題だけではなく、検証可能なオンライン上のゲームスコア、英語学習など、自由に接続して設定することができる。
【００８７】
トレジャーハイダーは、段階別の難易度を設定することができ、ヒントを提供しても提供しなくてもよい。ヒントは単数または複数で提供できる。ヒントは、連想作用のある単語や特定の数、象徴、歴史、神話、数学、物理、地理、天文などの背景知識を提示するものである。
【００８８】
一例として、トレジャーハイダーの段階別課題によるヒントは、次のとおり提供することができる。
【００８９】
【表１】
2017503280.tif 000003
【００９０】
上述のように様々な方式で宝の位置を特定することができるように、課題別のヒントを提供することによりトレジャーハイディングを行うことができる。
【００９１】
トレジャーハイダーは、宝狩りに必要な最小限の役立つべきツールとして、物差し、分度器、コンパス、地図、羅針盤、高度計、懐中電灯、レーザーなどを準備するように、トレジャーハンターに事前に応募段階で告知することができる。
【００９２】
但し、それらのツールがどの段階に必要であるかは知らせることができない。
【００９３】
トレジャーハイダーは、当該宝イベント期間を有限、無限に事前に定めることができ、宝イベント応募期間を設定し、段階別通過期限を設定することができる。
【００９４】
また、最終段階ではなくても、一定の段階の通過者に対する補償を設定することができる。
【００９５】
トレジャーハイダーが設定した時間内にトレジャーハンターが段階を通過しなかった場合、トレジャーハイダーは、数回に限って挑戦期限を延長したり、ヒントを変更または追加したりすることができる。挑戦問題を代替する場合には自分の等級に影響する可能性がある。
【００９６】
トレジャーハイダーが望む正解は、予め設定された言語や複数の言語、世界地域別に限られた言語に限定することができる。
【００９７】
トレジャーハイダーは、自分の宝イベントに参加するトレジャーハンター主体を、個人、家族、ギルド、性別、年齢、子供、若者、大人、高齢者などと宝の特性に応じて限定したり、複数のグループが参加できるように公開設定したりすることができる。さらに、参加可能なトレジャーハンターの総数を限定することができる。
【００９８】
また、一定の等級以上または一定の水準以上に検証されたトレジャーハンターの個人、家族、ギルドにのみ宝イベントへの参加を公開することができる。企業の場合は事前約定と協議によって変更できる。
【００９９】
ある段階を通過したトレジャーハンターにのみ次の段階が公開され、段階別の通過者と脱落者の数、当該割合が表示される。段階通過者は難易度評価を行うことができる。その評価を誠実に行うほど、等級の上昇に役立つ。
【０１００】
トレジャーハイダーは、自分の宝が暗号化されたシリアル番号やＱＲコード（登録商標）、バーコードなどと共に宝が埋もれているか、宝は別途の公的かつ安全な場所に保管されており、宝のあるところにはシリアル番号やＱＲコード、バーコードなどとトレジャーハイダーだけの標識、印、シンボル、別途印刷物、ロゴ模様などがあるかどうかの情報のみを公開しなければならない。シリアル番号やＱＲコード、バーコードなどの入っているケースなどは必要に応じて公開にしても非公開にしてもよい。
【０１０１】
トレジャーハイダーは、セキュリティを必要とするとき、宝イベントとその段階を一度に予め設定してもよく、段階が終了するたびに次の段階を提示してもよい。
【０１０２】
トレジャーハイダーは、宝の在る地域を国単位、国内の地域単位、道、市、郡、邑、面、洞、公園名、山、学校名、建物名、遊園地名、教会名、寺名、公共の場、地下鉄、マート、デパートなどを自分の意図或いは設定された段階に応じて一定部分公開してもよい。ところが、最終的に問題を解いたトレジャーハンターには正確な位置が公開されなければならない。或いは、トレジャーハンターが問題を解けば、現実の世界における指定の場所で或いは地図上で正確に探すことができなければならない。
【０１０３】
トレジャーハイダーは、自分が設定した期限内に通過したトレジャーハンターがないか応募者が全くないため宝イベントを進行しなかった場合、或いは難易度と段階により全員の脱落が発生した場合には、宝イベントをキャンセルすることができる。その後、トレジャーハイダーは再び宝イベントを企画することができるが、キャンセルが多いほど等級に影響を受ける。
【０１０４】
トレジャーハイダーの主体や宝の特性および価値などに応じて宝別に与えられるシリアル番号、ＱＲコードおよびバーコードは、セキュリティのためにトレジャーハイダーにも知られておらず、トレジャーハンターが最終的に探したシリアル番号、ＱＲコードおよびバーコードをゲームサイトに入力するか、アプリなどに接続して認証した場合にのみそれを確認することができるように事前に設定することができる。このような認証は、事前設定を介して写真、郵便伝送などに代替することができる。
【０１０５】
一例として、トレジャーハイダーは宝を設定する。
【０１０６】
宝の設定は、宝の価値、宝の位置、イベント期間、段階別期間、第１段階開始前の事前挑戦アプライ受付期間を運営サーバー３０へ伝送することにより行われる。
【０１０７】
トレジャーハイダーが宝の具体的価値を直接入力すると、システムは次の価値のいずれか一つ、または２つの価値の中からより近いもので表示する。
【０１０８】
例えば、７６０００ウォンを入力したときに５万〜１０万ウォン台で表示することができ、１）５千ウォン以下、２）１万ウォン台、３）５万ウォン台、４）１０万ウォン台、５）５０万ウォン台、６）１百万ウォン台、７）２百万ウォン台、８）その他数千、数億ウォン台まで運営サーバー３０が設定して表示することができる。
【０１０９】
宝の位置は、国ＡＡＡ市導郡ＡＡＡ邑／面／洞ＡＡＡのように記載し、或いは住所を公開しても構わなければ住所を公開し、山、川、道路、公園、寺、教会、学校、遊園地、観光地、別途の特定場所の場合には最小位置表示は必須的に伝送する。
【０１１０】
イベントのトータル期間は、特定の期間、または特定の日の時間を記載することができる。
【０１１１】
段階別期間もイベントのトータル期間と同様に設定することができ、段階を通過したお祝いは、各段階を通過した人に与えるハイダーのプレゼントであって、ハイダーの意思に応じて追加することができる。
【０１１２】
最後に、第１段階開始前の事前挑戦アプライ受付期間は、日付などを記載しても、特定の時間を記載してもよい。
【０１１３】
上述した５つの情報を入力すると、課題設定段階に直ちに移行することができ、課題設定の後にシリアル番号やＱＲコード、バーコードなどを取得すれば宝隠しは完了する。
【０１１４】
また、前述したように、トレジャーハンター許容範囲を会員資格、居住地、性別、年齢、参加者数、等級、検証レベルおよび信頼度などで限定することができ、背景知識やツール、提供言語などを特定することができる。
【０１１５】
段階別の問題を個別進行するかどうか、アイテムの使用限度、宝隠しの形態および追加セキュリティ事項も選択可能である。
【０１１６】
トレジャーハイダーは、宝イベント情報にアクセス可能な内部人や特定の関係人が参加してイベントの公正性を害するおそれがある場合、ゲーム運営会社が提示するセキュリティ上の勧告に従い、協議することができる。
【０１１７】
トレジャーハイダーは、最終的に宝を探して、予め設定された方式で入力、認証したトレジャーハンターの情報にアクセスすることができ、物理的住所地への配送や電子メール、携帯電話ＳＭＳ、スマートフォンアプリなどを用いて宝の特性に合わせて伝達し、これをゲーム運営サイト上に登載して確認させることができる。
【０１１８】
トレジャーハンターは、宝受領の際にゲームサイトに本人の接続手段をもって確認すれば次の宝を探すことができ、宝の受領に問題が発生した場合、これを、該当宝イベントを主催したトレジャーハイダーと運営サーバー３０に可能な方法で知らせしなければならない。
【０１１９】
トレジャーハイダーとトレジャーハンターとの間で不必要な個人情報は、個人情報保護およびゲーム運営会社の方針に基づいて制限できる。
【０１２０】
トレジャーハイダーは、イベント期間中に発生した天災地変や火災、浸水、破損、宝があるところの予期せぬ構造変更、工事などにより宝イベントの進行が難しい場合は、これをゲーム運営会社と当該宝イベントウィンドウに告知する。
【０１２１】
トレジャーハイダーは、１対１のイベントのほかに、どのトレジャーハンターが自分のイベントをどのように評価したのかを知ることができない。
【０１２２】
トレジャーハイダーは当該宝イベントの終了後にイベントの結果をゲームサイトに告知し、これは運営サーバー３０で自動告知することができる。
【０１２３】
トレジャーハイダーは、宝イベント中に約定に基づいてゲームサイトと会員に広告および広報を行うことができる。
【０１２４】
トレジャーハイダーは、トレジャーハンターの不注意や過ち、亡失により不正確に入力されている或いは不正確に伝送登載されている宝を探した認証については宝の支給を拒絶することができる。
【０１２５】
トレジャーハイダーは、段階別に宝が埋もれた場所に対する物理的な住所、空間の大きさを絞っていく方式、段階をすべて解くと段階ごとに正解が集まり、それによりパズルをといて見つけられる方式、ＧＰＳ上の座標（３６．６０Ｎ、１２７．２４Ｅなど）を数字として解いていく方式、三角座標や多角形の中心点などの地図と角度を用いた方式、問題自体に答えがある解く方式、難易度が異なる様々な暗号化方式、複数の観光地などを立ち寄ると、印などの認証を受けて提出する方式などを用いてトレジャーハンターに問題を提示して宝に接近するようにすることができる。
【０１２６】
運営サーバー３０は、トレジャーハイダーの宝イベントを受信し、保存してトレジャーハイダーの宝価値と回数、参加人員、イベントに対する総合評価を経て所定のポイントや、トレジャーハンティングに有用である様々なアイテムイベントへの参加資格などを付与してトレジャーハイディングを終了する。
【０１２７】
特定の宝イベントについてトレジャーハイディングが終了すると、ユーザーは、当該宝イベントに参加するとともにトレジャーハンティングが可能であり、ユーザーの参加によりトレジャーハンティングが始まる（Ｓ４０）。
【０１２８】
このとき、ユーザーは、複数のトレジャーハイディングとトレジャーハンティングを同時多発的に参加することが可能である。
【０１２９】
トレジャーハンターは、個人、家族、および複数の個人や家族からなるギルドで構成される。トレジャーハンターは、トレジャーハイダーの設定に基づいて、個人のみで参加することも、家族単位、ギルド単位に限定することも、すべての単位でも参加することもできる。いずれかの単位で参加可能であれば、個人や家族、ギルド単位で参加してもよい。
【０１３０】
このようなトレジャーハンティング段階の詳細手順について図３を参照して説明する。
【０１３１】
図３を参照すると、ユーザーがトレジャーハンターとして当該宝イベントへの挑戦を選択すると（Ｓ４１）、図３のように第１段階の課題が開示される。
【０１３２】
トレジャーハンターが第１段階の課題を実行すると（Ｓ４２）、トレジャーハイダーが提供したヒントが公開される（Ｓ４３）。
【０１３３】
トレジャーハンターは、当該ヒントに基づいて宝の位置をさらに限定することができ、次の段階に挑戦することができる。
【０１３４】
トレジャーハンターがｎ番目の段階の課題まで連続的に実行し、ｎがｋ（ｋ＝２０）以下であれば、トレジャーハンターは、トレジャーハイダーが提供するヒントに基づいて宝の位置をさらに限定して宝の位置を特定することができる（Ｓ４４）。
【０１３５】
この際、前記トレジャーハンターが最終段階の課題を実行すると、宝の位置が正確に特定され、トレジャーハンターはオフライン上の当該位置から宝を探すことができる（Ｓ４５）。
【０１３６】
トレジャーハンターは、探し出した宝に印加されているコードを運営サーバー３０へ伝送して認証を行う（Ｓ４６）。
【０１３７】
認証手続きが終了して、探し出した宝が当該宝イベントの宝として認められると、運営サーバー３０はトレジャーハンターに宝の支給を決定する（Ｓ４７）。
【０１３８】
そして、運営サーバー３０はトレジャーハンターに当該宝イベントに対する評価を要請し、前記トレジャーハンターは評価を行う（Ｓ４８）。
【０１３９】
宝イベントに対する評価は、トレジャーハイダーが提示した段階別の問題、難易度およびヒントが適切であるかどうかを評価することができる（難易度−適切さ−容易さなど）。
【０１４０】
一例として、トレジャーハンターの評価段階は、図４に例示されているように、次のとおり行うことができる。
【０１４１】
【表２】
2017503280.tif 000004
【０１４２】
このように評価を進行することにより、創意性／面白みを多く取得すればするほど、ギルドや企業などの段階と難易度の構成に役立つフリーランスの役割を果たし、一定の収益を得ることができる。
【０１４３】
トレジャーハイダーは、トレジャーハンターから良い評価を受けて信頼度を維持するほど、さらに多くの宝イベントを開く、或いはトレジャーハンターとしてさらに多くの挑戦機会、ヒントアイテム、段階スキップアイテムなどを容易に得ることができ、さらに多くのヒントと段階スキップアイテムを使用することができる。他のゲーム進行に役立つアイテムを得る確率が高くなる。
【０１４４】
創意的で面白い段階を設定し、見事に自分の宝イベントを終えたトレジャーハイダーの段階別問題と構成などは、「名誉の殿堂」に入り、アイテムと価値の高い宝に挑戦することが可能な機会がさらに多く与えられる。
【０１４５】
トレジャーハンターは、宝取得の後、自分が参加した宝イベントの評価を行ってこそ、次の宝イベントに参加することができ、信頼度と等級を維持することができる。
【０１４６】
評価が終了すると、当該宝イベントに対するトレジャーハンティングが終了する。
【０１４７】
このとき、トレジャーハイダーの設定に基づいて、トレジャーハンターは、性別、年齢、子供、若者、大人、高齢者などに宝の特性に応じて限定されたり、複数のグループが参加できるように公開設定されたりすることができる。また、参加可能なトレジャーハンターの総数はトレジャーハイダーの設定に基づいて限定できる。
【０１４８】
トレジャーハイダーが一定の等級以上または一定の水準以上に検証されたトレジャーハンターの個人、家族、ギルドにのみ宝イベントへの参加を公開する場合、トレジャーハンターはそれに従う。
【０１４９】
トレジャーハンターは、宝イベント期間中にトレジャーハイダーが提示した問題や通過段階、その内部のヒントの他に、いかなる質問をすることも、別途の通信で接触をすることも禁止され、このような行為による、等級および資格の取り消し、宝挑戦の制限などといった不利益はトレジャーハンターの責任である。
【０１５０】
トレジャーハンターが、宝イベントで設定した問題の難しさ、知識、難易度などにより、参加した宝イベントを途中放棄する場合、等級が下がるような影響を受けない。
【０１５１】
トレジャーハイダーが提示した段階別の問題をトレジャーハンターが解決する途中で知ることになった正解は、ゲームサイトや個人ＳＮＳ、携帯電話ＳＭＳなどで他の挑戦者と共有してはならず、このような行為による、不利益或いは挑戦イベントのキャンセルは当該行為をしたトレジャーハンターにあることを告知する。
【０１５２】
トレジャーハンターがトレジャーハイダー提示のヒントをさらに多く要求するほど、達成等級に影響を受ける可能性がある。
【０１５３】
宝イベント特性、セキュリティの要求に応じて、参加するトレジャーハンター情報とトレジャーハイダー情報は、片方のみ、或いは両方とも暗号化されて仮イベントＩＤのみによって知られることも可能である。
【０１５４】
最終的に宝を探したトレジャーハンターは、必ず当該宝イベントに対する評価を完了して次の宝イベントを進めることができ、評価に影響を及ぼす。
【０１５５】
すなわち、上述のようにトレジャーハンターが前記宝イベントに対する評価を完了すると、前記評価に基づいてトレジャーハンターとトレジャーハイダーの会員等級が上昇または下落するなど会員等級が変更され、これにより追って行われる宝探しサービスに対する特典または制裁がトレジャーハンターおよびトレジャーハイダーに与えられる。
【０１５６】
トレジャーハンターが宝を探したにも拘らず、トレジャーハイダーが提供する宝の受領を拒否する場合、これを当該イベントに公式的に確認しなければならず、トレジャーハイダーもこれを確認しなければならない。
【０１５７】
トレジャーハンターは、宝の特性や価値に応じて、自分の宝を受領の後に自ら或いは受領の前にゲームサイトなどを介して寄付処理することができる。寄付の多いトレジャーハンターはより高い等級に進むためのスコアを取得し、別途の寄付スコアを累積させて取得し、このようなスコアはアイテムの購入やプレゼントなどに使用できる。このような寄付スコアは、会員情報であって、他の会員に等級、信頼度と一緒に公開される。
【０１５８】
トレジャーハンターは、自分が宝を探した結果、宝の価値、難易度、等級などを、ＳＮＳなどを介して自動もしくは手動で知らせることができる。
【０１５９】
トレジャーハンターは、トレジャーハイダーが提示した問題と段階上の深刻な問題がある場合、ゲーム運営会社にこれを申告し、修正を通知しなければならない。しかし、トレジャーハンターの知識や能力、努力などの不足または過ちによるものである場合は修正されない。
【０１６０】
トレジャーハンターは、最終的に探した宝が社会的に、倫理的に、刑事上の責任を負うおそれのある宝（盗品、犯罪関連物品、法によって流通または所持が禁止された物品など）であれば、これを直ちに運営サーバー３０に告知し、必要に応じて警察署などに申告しなければならない。
【０１６１】
トレジャーハンターとトレジャーハイダー間の情報は、個人情報保護およびゲーム運営会社の方針に基づいて制限できる。
【０１６２】
宝を探したトレジャーハンターの公式的な受領確認があるまで、トレジャーハイダーは、その次の宝イベントを開始することができないが、等級および検証された水準、企業か否かに応じて次のイベントを進行することができる。
【０１６３】
トレジャーハンターは、宝を探した後、当該宝に対する後書きやコメント、自分のみのトレジャーハンティングノウハウなどをゲームサイトの掲示板に残すことができる。会員は、これらの文章をＳＮＳなどで簡単に共有伝播し、推薦または意見を提示することができる。
【０１６４】
このように、個人、家族、ギルド、ギルド連合などからなるトレジャーハンターは、誰でもトレジャーハイダーまたはトレジャーハンターになることができる。個人対個人、個人対家族、家族対家族、個人対ギルド、家族対ギルド、ギルド対ギルドなどの様々なトレジャーハンティング方式が可能であり、外部から遮断された前もって限定された人員、招待と許可によって構成された人員のみのトレジャーハンティングも可能である。家族、ギルドおよびギルド連合がトレジャーハンターである場合、相互間のゲームサイト内の意思疎通が可能である。
【０１６５】
このようなトレジャーハンティング方式はトーナメントも可能である。このような宝イベントは、国内だけでなく、国際的に同時進行も可能である。但し、開放されていない閉鎖された内部ゲームの場合、スコアの取得価値や等級などは公開されたときよりも小さく取得されることがあり、「ヒント表示／段階スキップアイテム」の使用などはさらに多く使用または制限されることがある。
【０１６６】
トレジャーハンターは、宝を探す段階を解く途中でヒントを等級またはスコアに関係なく見ることが可能な「ヒント表示アイテム」や、複数の段階の中でも難しい段階をトレジャーハイダーが許す限り、ゲーム運営会社の方針に基づいて許可された「スキップアイテム」などの様々なアイテムを一定のスコア、等級ごとに宝探し途中で得ることができる。このようなアイテムは有料で購入することもできる。
【０１６７】
アイテムは、具体的には下記表のとおりである。
【０１６８】
【表３】
2017503280.tif 000005
【０１６９】
アイテムは、個人キャラクター向けアイテム、家族向けアイテム、ギルド向けアイテム、ギルド連合向けアイテムが提供できる。これらのアイテムは、宝探査専用車両や、宝島を探していく船、飛行機、様々なツール、ファッション、魔法、拡大鏡、透視などの特殊な機能のアイテムでありうる。
【０１７０】
宝イベントごとに、このようなアイテムの使用回数はゲーム運営会社の方針とトレジャーハイダーの選択に応じて制限できる。しかし、ゲーム運営会社の指針に従って、いずれのゲームであれ、特定のアイテムは無条件に使用が許されるように強制できる。
【０１７１】
このようなアイテムは、個人、家族、ギルド、およびギルド連合の間でお互いのプレゼントになることもでき、お互いに販売されることもできる。
【０１７２】
このようなアイテムの生産、価格、販売方針は、ゲーム運営会社の方針に基づいて変更できる。
【０１７３】
一方、図５に示すように、トレジャーハンティング段階で提供を受けたトレジャーハンティング情報に含まれている宝位置情報は、運営サーバー３０からハンター端末２０に提供された地図上に表示でき、前記宝位置情報は、前記ハンター端末２０の位置を中心に一定の距離を放射状に区画する多数の区域内に表示できる。これにより、ハンター端末２０の所持者であるトレジャーハンターは自分の周りにどのような宝が位置しているかを知ることができ、その宝との距離がどれ程度離れているかを簡単に知ることができるようになる。
【０１７４】
また、前記宝位置情報は、宝の価値に比例してサイズを異ならせて表示できる。一例として、宝が地図上に円形で表示される場合、トレジャーハイダーが隠した宝の価値が高いほど、円形のサイズが大きくなるように表示できるので、自分が見つけようとする宝の価値を容易に把握し、どれほどの価値を持つ宝を見つけるかを決定することができる。
【０１７５】
これに加えて、前記宝位置情報は、宝イベントの締め切り時限に応じて色を異ならせて表示できる。一例として、地図上に表示される宝が、宝イベントの締め切り当日には赤色で、締切日の２〜３日前には黄色で、締切日の４日以上前には緑色で表示されることで、締切日が差し迫った宝イベントに対する積極的な参加を誘導することができる。
【０１７６】
このような宝探しサービスシステムは、トレジャーハンティングゲームを好む個人、オンラインだけではなく、オフラインおよび現実で時間を一緒に送りたがる人々、知的なゲームの設計や質問、様々なツールやパズルを介して宝探しを楽しむ人々、子供一人または大人個人ではなく、全体が一緒に楽しむゲームを探している家族、製品の広報を願う企業、学生をオンラインゲームではなく、学習および研究が可能なオフラインゲームに誘導したい学校、顧客に様々な経験や思い出を提供したがる旅行代理店、芸能人の認知度およびファンサービスを増やそうとする芸能事務所、主要プログラムの広報を願うか或いは本ゲームを中継しようとする放送局、新聞社、観光客がたくさん来ることを望む観光局、自治体、主要な観光地など、様々な団体を介して一緒に進行できる。
【０１７７】
このような宝探しサービスシステムは、オンラインゲームだけではなく、現実の世界で会員たちが物理的に移動しながらイベントを進行するため、様々な宝挑戦機会を与え、幼稚園だけでなく、小中高学校、大学別のギルドや同好会を介して様々な国内外の宝イベントに参加し、自分で作って提示し、競争し、名誉と宝を得ることができる。ゲーム運営会社はトレジャーハイダーの要求と契約に基づいて共同でゲームを主管して進行することができる。
【０１７８】
世界のあちこちを旅し、観光する人々は、自分のいる空間に、自分が挑戦すべき無数の宝を知ることになり、旅行または観光途中でトレジャーハンターまたはトレジャーハイダーとしての役割を行うことになる。
【０１７９】
トレジャーハイダー（個人、家族、ギルド、ギルド連合）が提出する様々な知識や研究が必要な問題を、個人、家族、ギルド、ギルド連合に属している学生、会員が一緒に悩んで協力して解くことにより、オンラインだけではなく、現実の世界での友情、知識、経験を一緒に積むことができる。
【０１８０】
また、ツイッターやフェイスブックなどのＳＮＳとの連動を介して、探した宝の価値を知らせ、結果を共有することにより、自分の能力価値を認められ、より多くの人々の参加を誘導することができる。
【０１８１】
以上で説明した本発明の実施形態は、装置および方法を介してのみ実現されるのではなく、本発明の実施形態の構成に対応する機能を実現するプログラム、またはそのプログラムが記録された記録媒体を介して実現されることもできる。このような実現は、前述した実施形態の記載から、本発明の属する技術分野における専門家であれば容易に行うことができる。
【０１８２】
以上、本発明の実施形態について詳細に説明したが、本発明の権利範囲はこれに限定されるものではない。また、請求の範囲で定義している本発明の基本的な概念を利用した当業者の様々な変形および改良形態も本発明の権利範囲に属する。
【図１】
2017503280.tif 000006
【図２】
2017503280.tif 000007
【図３】
2017503280.tif 000008
【図４】
2017503280.tif 000009
【図５】
2017503280.tif 000010
【国際調査報告】
2017503280.tif 000011
2017503280.tif 000012
2017503280.tif 000013
2017503280.tif 000014